(57)【特許請求の範囲】
【請求項１】
フレーム、照明器具、照明看板等の第一物品（Ａ）を、立体展示装置、細長材を組立てた構造物、建物の壁面や天井、駅構内の壁面や天井といった第二物品（Ｄ）の前面に係止できる物品連結具（１）において、
前記物品連結具（１）は第一物品（Ａ）の前記裏面凹部（２）内に嵌入係止できる第一物品側嵌入部（３）と、第二物品（Ｄ）の前面凹部（４）内に嵌入係止できる第二物品側嵌入部（５）を備え、
第一物品側嵌入部（３）と第二物品側嵌入部（５）は、第一物品側嵌入部（３）が第一物品（Ａ）の裏面凹部（２）内に嵌入されると第二物品側嵌入部（５）が当該裏面凹部（２）の外に突出し、第二物品側嵌入部（５）が第二物品（Ｄ）の前面凹部（４）内に嵌入されると第一物品側嵌入部（３）が当該前面凹部（４）の外に突出するようにしてあり、
前記第一物品側嵌入部（３）は第一物品（Ａ）の裏面凹部（２）内に嵌入できる板状の第一基部（６）と、第一基部（６）が当該裏面凹部（２）内に嵌入されると当該裏面凹部（２）の裏面係止縁（２ｃ、２ｄ）に係止可能な第一係止鍔（９、１０）を備え、
第一係止鍔（９、１０）は前記第一基部（６）の幅方向両側方又は一側方に突設されており、前記裏面凹部（２）の軸方向開口部（２ａ）から挿入して裏面凹部（２）内に嵌入することも当該裏面凹部（２）の裏側開口部（２ｅ）から圧入することもでき、
前記第二物品側嵌入部（５）は第二物品（Ｄ）の前面凹部（４）内に嵌入できる第二基部（１１）と、当該第二基部（１１）が当該前面凹部（４）内に嵌入されると当該前面凹部（４）の前面係止縁（４ｂ、４ｃ）に係止可能な第二係止鍔（１４、１５）を備え、第二基部（１１）は第二物品（Ｄ）の前面凹部（４）内に嵌入可能な板状であり、前記第二係止鍔（１４、１５）は第二基部（１１）の幅方向両側方又は一側方に突設されており、前記前面凹部（４）の軸方向開口部（４ａ）から挿入して前面凹部（４）内に嵌入することも、前面凹部（４）の前側開口部（４ｄ）から圧入することもできる、
ことを特徴とする物品連結具。
【請求項２】
請求項１記載の物品連結具において、
第一物品側嵌入部（３）が、嵌入された裏面凹部（２）内でその軸廻り方向に回転可能な回転部（１８）を備えた、
ことを特徴とする物品連結具。
【請求項３】
請求項１又は請求項２記載の物品連結具において、
第一物品側嵌入部（３）が裏面凹部（２）の幅方向に撓むことのできる弾性片（２０）を備えた、
ことを特徴とする物品連結具。
【請求項４】
請求項１乃至請求項３のいずれか１項に記載の物品連結具において、
第一物品側嵌入部（３）がその軸方向に離して二以上設けられ、第一物品側嵌入部（３）の間に裏面凹部（２）の幅方向に撓むことのできる第一押込片（２１）が設けられ、第二物品側嵌入部（５）がその軸方向に離して二以上設けられ、それら第二物品側嵌入部（５）の間に前面凹部（４）の幅方向に撓むことのできる第二押込片（２２）が設けられた、
ことを特徴とする物品連結具。
【請求項５】
フレーム、照明器具、照明看板等の第一物品（Ａ）を、立体展示装置、細長材を組立てた構造物、建物の壁面や天井、駅構内の壁面や天井といった第二物品（Ｄ）の前面に取付けた物品取付け構造において、
前記第二物品（Ｄ）への第一物品（Ａ）の取付けに請求項１乃至請求項４のいずれか１項に記載の物品連結具（１）が使用され、
前記物品連結具（１）の第一物品側嵌入部（３）が第一物品（Ａ）の裏面凹部（２）内に、第二物品側嵌入部（５）が第二物品（Ｄ）の前面凹部（４）に嵌入係止されて、第一物品（Ａ）が第二物品（Ｄ）の前面に取付けられた、
ことを特徴とする物品取付け構造。
【請求項６】
請求項５記載の物品取付け構造において、
第二物品（Ｄ）の前面凹部（４）が溝又は長孔であり、その前面凹部（４）に嵌入された第二物品側嵌入部（５）を前面凹部（４）に沿ってスライド可能に嵌入して、第二物品（Ｄ）の前面に取付けた第一物品（Ａ）を第二物品（Ｄ）から取外すことなく前面凹部（４）の溝又は長孔に沿ってスライドさせて、第二物品（Ｄ）への第一物品（Ａ）の係止位置を調節可能とした、
ことを特徴とする物品取付け構造。
【請求項７】
請求項５記載の物品取付け構造において、
第一物品（Ａ）の裏面凹部（２）が溝又は長孔であり、その裏面凹部（２）に嵌入された第一物品側嵌入部（３）を前記裏面凹部（２）に沿ってスライド可能に嵌入して、第二物品（Ｄ）の前面に取付けた第一物品（Ａ）を第二物品（Ｄ）から取外すことなく前記裏面凹部（２）の溝又は長孔に沿ってスライドさせて、第二物品（Ｄ）への第一物品（Ａ）の係止位置を調節可能とした、
ことを特徴とする物品取付け構造。
【請求項８】
請求項５乃至請求項７のいずれか１項に記載の物品取付け構造において、
第二物品（Ｄ）は細長材（ｄ）を縦横に組み合わせて構成され、細長材（ｄ）がその軸方向に溝又は長孔の前面凹部（４）を備えたものであり、その前面凹部（４）は第一物品（Ａ）の裏面凹部（２）に嵌入された物品連結具（１）の第一物品側嵌入部（３）をスライド可能な幅である、
ことを特徴とする物品取付け構造。
【請求項９】
請求項５乃至請求項７のいずれか１項に記載の物品取付け構造において、
物品連結具（１）の第一物品側嵌入部（３）が第一物品（Ａ）の裏面凹部（２）内に嵌入又は圧入されて、物品連結具（１）の第二物品側嵌入部（５）が前記裏面凹部（２）の外に突出し、前記第二物品側嵌入部（５）が第二物品（Ｄ）の前面凹部（４）内に嵌入又は圧入されて、第一物品（Ａ）が第二物品（Ｄ）の前面に支持された、
ことを特徴とする物品取付け構造。
【請求項１０】
請求項５乃至請求項７のいずれか１項に記載の物品取付け構造において、
第一物品（Ａ）は四本の枠材（ａ）を１本ずつ第二物品（Ｄ）に取付けて方形に組立てて形成されたものである、
ことを特徴する物品取付け構造。
【請求項１１】
請求項５乃至請求項７のいずれか１項に記載の物品取付け構造において、
第一物品（Ａ）は四本の枠材（ａ）を方形に組み立てて構成されたものであり、夫々の枠材（ａ）は個別に外側に倒して開くことも内側に起こして戻すこともできる開閉式であり、第二物品（Ｄ）に取付けられている状態で、枠材（ａ）を外側に倒すと、当該枠材（ａ）が物品連結具（１）の第二物品側嵌入部（５）から外れて取外し可能である、
ことを特徴する物品取付け構造。
【発明の詳細な説明】
【技術分野】
【０００１】
本発明は二つの物品同士を連結可能な物品連結具と、その物品連結具を使用して二つの物品を連結した（一方の物品に他方の物品を取付けた）物品取付け構造に関する。
【背景技術】
【０００２】
絵画、写真、ポスター等の展示物は、通常、額縁（フレーム）に額装されて、建物の壁面、支柱、細長材を縦横に組立てた構造物等に、吊下げたり係止したりして展示されている。照明パネルや室内照明器具等は室内の壁や天井等に、照明看板等は駅構内の壁面等に取付けられている。
【０００３】
フレームには各種構造のものがあり、その一つとして、本件発明の発明者が先に開発したフレームがある（特許文献１）。このフレームＡ（図２）は、四本の枠材ａで四角形の枠状に形成されており、いずれか一本又は隣り合う二本の枠材ａを外側に開く（倒す）と、図３（ｂ）に示すように枠材ａの内側（セット空間Ｃ）に絵や写真等の展示物Ｂを配置でき、図３（ｃ）に示すように枠材ａを内側に閉じる（起こす）と、展示物Ｂが枠材ａのセット空間Ｃ内にセットされるようにしたものである。図２のフレームＡは枠材ａの開閉により展示物Ｂを手軽に出し入れでき、従来のフレームのように裏板を取外したり付け直したりする面倒がないという利点がある。
【０００４】
前記フレームＡは従来のフレームと同様に壁や支柱等に係止したり吊下げたりして展示することができる他、本件発明者が先に開発した立体展示装置（特許文献２）に係止して展示することもできる。この立体展示装置は多くのフレームを展示できるという利点があるが、フレームＡを取付けるためには、特許文献２の段落（００１３）に開示されているように、立体展示装置にフレーム用固定具を取付け、そのフレーム用固定具にフレームＡを係止する必要がある。この場合、フレーム用固定具は立体展示装置に螺子止めしたり溶接したりしなければならないため取付け作業が面倒である。また、フレーム用固定具に取付けたフレームＡはフレーム用固定具から取外さないと移動することができず、位置調節ができないという不便があった。また、溶接した場合は、立体展示装置もフレーム用固定具も取外し後に再利用しにくいという難点もあった。
【先行技術文献】
【特許文献】
【０００５】
【特許文献１】特開平９−１６４０４８号公報
【特許文献２】特開２００７−４１２５６号公報
【発明の概要】
【発明が解決しようとする課題】
【０００６】
本発明の解決課題は、前記のようなフレームや照明器具といった各種物品（第一物品）を、前記のような立体展示装置、細長材を組立てた構造物、建物の壁面や天井、駅構内の壁面や天井といった各種支持体（第二物品）に容易に取付けることができる物品連結具と、その連結具を使用した物品取付け構造を提供することである。また、第二物品に取付けた第一物品を第二物品から取外さなくても第二物品の上下・左右にスライド（移動）させて高さや横位置を調整することができる物品取付け構造を提供することでもある。
【課題を解決するための手段】
【０００７】
本発明の物品連結具１は図４〜図７に示すようなものであり、例えば、図２に示すような第一物品Ａを、図１２、図１３に示すような構造物Ｄに図１のように取付けたり、図１５（ａ）、（ｂ）に示すような支持枠（第二物品：Ｄ）に図１４のように取付けたりすることができるものである。
【０００８】
（物品連結具１）
本発明の物品連結具は、フレーム、照明器具、照明看板等の第一物品Ａの裏面凹部２（溝、孔、これに類するもの：以下同じ）内に嵌入係止できる第一嵌入部３（以下「第一物品側嵌入部」という。）と、立体展示装置、細長材を組立てた構造物、建物の壁面や天井、駅構内の壁面や天井といった第二物品Ｄの前面凹部４（溝、孔、これに類するもの：以下同じ）内に嵌入係止できる第二嵌入部５（以下「第二物品側嵌入部」という。）を備えている。第一物品側嵌入部３と第二物品側嵌入部５は、第一物品側嵌入部３が裏面凹部２内に嵌入されると第二物品側嵌入部５が裏面凹部２の外に突出し、第二物品側嵌入部５が前面凹部４内に嵌入されると第一物品側嵌入部３が前面凹部４の外に突出するように一体化されている。
【０００９】
前記第一物品側嵌入部３は裏面凹部２内に嵌入できる第一基部６と第一基部６が裏面凹部２内に嵌入されると裏面凹部２の裏面係止縁２ｃ、２ｄに係止可能な第一係止鍔９、１０を備えている。第二物品側嵌入部５は前面凹部４内に嵌入できる第二基部１１と第二基部１１が前面凹部４内に嵌入されると前面凹部４の前面係止縁４ｂ、４ｃに係止可能な第二係止鍔１４、１５を備えている。
【００１０】
前記第一基部６は裏面凹部２内に嵌入可能な板状であり、前記第一係止鍔９、１０は第一基部６の幅方向両側方又は一側方に突設されている。前記第二基部１１は前面凹部４内に嵌入可能な板状であり、前記第二係止鍔１４、１５は第二基部１１の幅方向両側方又は一側方に突設されている。
【００１１】
前記第一物品側嵌入部３は前記裏面凹部２の軸方向開口部２ａから挿入して裏面凹部２内に嵌入することができ、嵌入された裏面凹部２内でその軸廻り方向に回転可能な回転部１８を備えている。前記第二物品側嵌入部５は前記前面凹部２の軸方向開口部２ａから挿入して前面凹部内４に嵌入することができ、嵌入された前面凹部４内でその軸廻り方向に回転可能な回転部１８を備えている。いずれの回転部１８も回転可能であればよく、円弧状、三角形、多角形といった各種形状とすることができる。
【００１２】
（物品連結具２）
本発明の物品連結具は、第一物品側嵌入部３を裏面凹部２の裏側開口部２ｅから裏面凹部２内に圧入でき、第二物品側嵌入部５を前面凹部４の前側開口部４ｄから前面凹部４内に圧入できるようにもしてある。この場合、裏面凹部２の幅方向に撓むことのできる（弾性変形可能な）弾性片を第二基部１１に設けて、その弾性片を支持体Ｄの前面凹部４内に押込むと弾性片２０が前面凹部４の幅方向内側に撓んで前面凹部４の内側に嵌入され、前面凹部４の前面係止縁４ｂ、４ｃに係止されるようにすることもできる。
【００１３】
（物品連結具３）
本発明の物品連結具は、第一物品側嵌入部３をその軸方向に離して一列に二以上設け、それら第一物品側嵌入部３の間に第一押込片２１を設け、第二物品側嵌入部５もその軸方向に離して一列に二以上設け、それら第二物品側嵌入部５の間に第二押込片２２を設けることもできる。第一押込片２１は前記裏面凹部２の幅方向に、第二押込片２２は前面凹部４の幅方向に夫々弾性変形可能として、第一押込片２１を第一物品Ａの裏面凹部２内に押込むと第一押込片２１が裏面凹部２の幅方向内側に撓んで裏面凹部２内に押込まれ、裏面凹部２の裏面係止縁２ｃ、２ｄに係止され、第二押込片２２を第二物品Ｄの前面凹部４内に押込むと第二押込片２２が前面凹部４の幅方向内側に撓んで前面凹部４内に押込まれ、前面凹部４の前面係止縁４ｂ、４ｃに係止されるようにすることもできる。
【００１４】
（物品取付け構造）
本発明の物品取付け構造は、前記した物品連結具１を使用して、例えば、図２のようなフレーム（第一物品）Ａを、図１２に示すように、細長材ｄを縦横に組立てた構造物（第二物品）Ｄの前面に取付けた構造である。図１４のような照明器具ケース（第一物品）Ａを図１５に示すように天井に取付けた照明器具枠（第二物品）Ｄの下に取付けた構造とすることもできる。図１７のようにフレームの四本の枠材ａ（第一物品Ａ）を一本ずつ方形の支持枠（第二物品）Ｄに取付けて、方形のフレームにすることもできる。これらいずれの場合も、物品連結具１の第一物品側嵌入部３を第一物品Ａの裏面凹部２内に、物品連結具１の第二物品側嵌入部５を第二物品Ｄの前面凹部４に嵌入係止して、第一物品Ａを第二物品Ｄの前面に取付けてある。
【００１５】
前記物品取付け構造では第二物品Ｄの前面凹部４に嵌入された第二物品側嵌入部５を前面凹部４に沿ってスライド可能として、第二物品Ｄの前面に取付けた第一物品Ａを第二物品Ｄから取外すことなく位置調節できるようにすることができる。この場合、前面凹部４が横向きの場合は横にスライドさせて横位置を調節でき、前面凹部４が縦向きの場合は縦にスライドさせて縦位置を調節することができる。
【００１６】
前記物品取付け構造では、第一物品Ａの裏面凹部２に嵌入された物品側嵌入部３を裏面凹部２に沿ってスライド可能として、第二物品Ｄの前面に取付けた第一物品Ａを第二物品Ｄから取外すことなく位置調節できるようにすることもできる。この場合も、裏面凹部２が横向きの場合は横にスライドさせて横位置を調節でき、裏面凹部２が縦向きの場合は縦にスライドさせて縦位置を調節することができる。
【発明の効果】
【００１７】
本発明の物品連結具は次のような効果がある。
［１］第一物品側嵌入部を第一物品の裏面凹部内に、第二物品側嵌入部を第二物品の前面凹部内に嵌入するだけで第一物品と第二物品を簡易に連結することができる。
［２］第一物品と第二物品の連結に、フック、紐、螺子、ビス等の止め具が不要であり、溶接作業も不要であるため第一物品と第二物品の連結が容易である。
［３］第一物品側嵌入部が裏面凹部の軸方向開口部から挿入でき、第二物品側嵌入部が前面凹部の軸方向開口部から挿入できるので、裏面凹部への第一物品側嵌入部の嵌入、前面凹部への第二物品側嵌入部の嵌入がスムースにできる。
［４］第一物品側嵌入部が裏面凹部の裏側開口部から圧入でき、第二物品側嵌入部が前面凹部の前側開口部から圧入できるので、第一物品、第二物品が共に方形枠状であっても枠状のまま取付け可能であるため便利である。
［５］弾性片も、第一押込片も第二押込片も弾性変形可能であるため、裏面凹部、前面凹部へのそれらの押込みが容易であり、押込み後は係止が確実になり不用意に脱落しない。
［６］第一物品の裏面凹部内でその軸廻り方向に回転可能な回転部が第一物品側嵌入部に設けられているので、第一物品が図２のような開閉式フレームの場合は、第一物品側嵌入部を裏面凹部内に嵌入した状態で枠材の開閉ができ、倒した枠材を第一物品側嵌入部から容易に取外すことができる。
【００１８】
本発明の物品取付け構造は次のような効果がある。
［１］物品連結具の第一物品側嵌入部を第一物品の裏面凹部内に、第二物品側嵌入部を第二物品の前面凹部内に嵌入して取付けてあるので、第一物品が安定する。
［２］物品連結具を溶接せずに第二物品へ取付けてあるので、物品連結具を取外した後の第二物品は繰り返し使用可能である。
［３］第一物品が第二物品への取付け後にスライド可能であるため、第一物品を第二物品から取外すことなく上下或いは左右にスライドして位置調整が容易にできる。
［４］第一物品が四本の枠材を方形に組み立てたフレームであり、夫々の枠材が個別に外側に倒す（開く）ことも内側に起こす（戻す）こともできる開閉式の場合は、フレームの枠材を外側に倒して強制的に外側に引くと、枠材の裏面凹部が物品連結具の裏面凹部から容易に外れるためフレームの取外しが容易になる。
【図面の簡単な説明】
【００１９】
【図１】本発明の物品連結具を用いて、フレームを支持体に取付ける場合の一例を示す説明図。
【図２】本発明の物品連結具で支持体に取付けるフレームの一例を示す斜視図。
【図３】（ａ）は図２に示すフレームの枠材の一部切断斜視図、（ｂ）は枠材を開いて（倒して）展示物をセットする状態の部分側面図、（ｃ）は枠材を閉じて（起こして）展示物を固定した状態の部分側面図。
【図４】支持体の前面凹部への本発明の物品連結具の嵌入説明図。
【図５】本発明の物品連結具の一例を示すもので、（ａ）は表面側の斜視図、（ｂ）は裏面側の斜視図、（ｃ）は（ａ）、（ｂ）の物品連結具を第二物品に嵌入する場合の説明図。
【図６】本発明の物品連結具の他例を示す表面側斜視図。
【図７】図６に示す物品連結具を上下逆さまにした状態の裏面側斜視図。
【図８】図６、図７に示す物品連結具の第二物品側嵌入部を支持体開口部内に圧入する状態の説明図。
【図９】（ａ）、（ｂ）は本発明の物品連結具の第一物品側嵌入部を図２に示すフレームの裏面凹部内に嵌入する手順の一例を示す側面図。
【図１０】（ａ）、（ｂ）は図９（ｂ）のように裏面凹部内に第一物品側嵌入部を嵌入した物品連結具の第二物品側嵌入部を、第二物品の前面凹部内に嵌入する手順の一例を示す側面図。
【図１１】（ａ）、（ｂ）は図１０（ｂ）のように支持体開口部に嵌入してある本発明の物品連結具の第二物品側嵌入部を支持体開口部から取外す手順の一例を示す側面図。
【図１２】細長材を縦横に組立てた構造物に本発明の物品連結具でフレームを取付ける場合の一例を示す説明図。
【図１３】細長材を三角形の立体枠状に組立てた構造物の一例を示す説明図。
【図１４】本発明の物品連結具を使用して天井に照明器具を取付けた状態の一例を示す斜視図。
【図１５】（ａ）は天井に取付けた照明器具本体の説明図、（ｂ）は照明器具本体の前面凹部の他例を示す斜視図。
【図１６】方形枠に方形フレームを取付ける場合の説明図。
【図１７】方形枠にフレーム用枠材を一本ずつ取付ける場合の説明図。
【発明を実施するための形態】
【００２０】
（物品連結具の実施形態１）
本発明の物品連結具１の一例として図４に示すものは、第一物品Ａの裏面凹部２（図１、図４）内に嵌入係止できる第一物品側嵌入部３（図４）と、第二物品Ｄの前面凹部４（図１、図４）内に嵌入係止できる第二物品側嵌入部５（図４）を備えている。
【００２１】
図４の物品連結具１は第一物品側嵌入部３と第二物品側嵌入部５が樹脂で一体成型されて、第一物品側嵌入部３を図１に示す第一部品Ａの裏面凹部２内に図１に示すように嵌入すると、第二物品側嵌入部５が図１に示すように裏面凹部２から外に突出して、第二物品側嵌入部５を第二物品Ｄの前面凹部４内に嵌入できるようにしてある。また、第二物品側嵌入部５を前面凹部４内に嵌入すると第一物品側嵌入部３が前面凹部４から外に突出して第一物品側嵌入部３を第一物品Ａの裏面凹部２内に嵌入できるようにしてある。
【００２２】
第一物品側嵌入部３は裏面凹部２内に嵌入できる細長板状の第一基部６の幅方向両側方に第一係止鍔９、１０が突設され、物品連結具１の裏面凹部２内でその軸廻り方向に回転可能な円弧状の回転部１８が形成されている。回転部１８は裏面凹部２内で回転可能であれば円弧状ではなく他の形状、例えば三角形、多角形等であってもよい。
【００２３】
第二物品側嵌入部５は前記前面凹部４内に嵌入できる細長板状の第二基部１１の幅方向両側に第二係止鍔１４、１５が突設されている。
【００２４】
第一物品側嵌入部３は第一物品Ａの裏面凹部２の軸方向開口部２ａ（図４）から挿入されて裏面凹部２内に嵌入可能であり、嵌入すると第一係止鍔９、１０が裏面凹部２の前面に被さっている裏面係止縁２ｃ、２ｄの双方に係止して裏面凹部２の裏側開口部２ｅ（図１）から抜けないが、裏面凹部２の軸方向にはスライド可能となるようにしてある。
【００２５】
第二物品側嵌入部５は第二物品Ｄの前面凹部４の軸方向開口部４ａ（図４）から挿入されて前面凹部４内に嵌入可能であり、嵌入すると第二係止鍔１４、１５が前面凹部４に被さっている前面係止縁４ｂ、４ｃの双方に係止して前面凹部４の前側開口部４ｄ（図１）から抜けないが、前面凹部４の軸方向にはスライド可能となるようにしてある。
【００２６】
（物品連結具２）
本発明の物品連結具１の他例として図５（ａ）、（ｂ）に示すものは、基本的には図４に示すものと同じであり、異なるのは図４の一方の第二係止鍔１４をなくして、図５（ａ）のように第一係止鍔１０の下方に上向きＬ字状の弾性片２０を突設したことである。
【００２７】
図５（ａ）、（ｂ）に示す物品連結具１の第一物品側嵌入部３も、第一物品Ａの裏面凹部２内でその軸廻り方向に回転可能な円弧状の回転部１８を備えている。この回転部１８も裏面凹部２内で回転可能であれば円弧状ではなく他の形状、例えば、三角形、多角形等であってもよい。
【００２８】
図５（ａ）、（ｂ）の物品連結具１も、第一物品側嵌入部３が第一物品Ａの裏面凹部２の軸方向開口部２ａ（図４）から挿入されて裏面凹部２内に嵌入可能である。第二物品側嵌入部５は図５（ｃ）のように第二係止鍔１５を前面凹部４の一方の前面係止縁４ｂの下に差込み、その状態で物品連結具１を図５（ｃ）の矢印Ｙ方向に押すことにより、弾性片２０（図５（ａ））が裏面凹部２の幅方向内側に撓んで第二物品Ｄの他方の前面係止縁４ｃの下に押込まれる。
【００２９】
（物品連結具３）
本発明の物品連結具１の他例として図６、図７に示すものも基本的には図４、図５（ａ）、（ｂ）に示すものと同じであり、第一物品側嵌入部３と第二物品側嵌入部５を備えている。
【００３０】
前記第一物品側嵌入部３は、物品連結具１の軸方向両端側に離れて設けられ、離れた二つの第一物品側嵌入部３の間に第一押込片２１（図６）が突設され、第一押込片２１が第一物品Ａ（図１）の裏面凹部２の裏側開口部２ｅ（図１）から図９（ａ）、（ｂ）のように裏面凹部２内に圧入できるものであり、圧入時に裏面凹部２の幅方向内側に撓むバネ性を備えている（弾性変形可能である）。前記二つの第一物品側嵌入部３は第一物品Ａ（図４）の裏面凹部２の軸方向開口部２ａ（図４）から挿入されて裏面凹部２内に嵌入可能な細長板状の第一基部６を備え、第一基部６の幅方向両端に第一係止鍔９、１０を備えている。
【００３１】
前記第二物品側嵌入部５も、物品連結具１の軸方向両端側に離れて設けられ、離れた二つの第二嵌物品側入部５の間に第二押込片２２（図７）が突設されている。第二押込片２２は第二物品Ｄ（図１）の前面凹部４の前側開口部４ｄ（図１）から図１０（ａ）、（ｂ）のように前面凹部４内に圧入できるものであり、圧入時に前面凹部４の幅方向内側に撓むバネ性を備えている（弾性変形可能である）。前記夫々の第二物品側嵌入部５は、第二物品Ｄ（図４）の前面凹部４の軸方向開口部４ａ（図４）から挿入されて前面凹部４内に嵌入可能な細長板状の第二基部１１を備え、第二基部１１の幅方向一側方に第二係止鍔１５を備えている。
【００３２】
図６に示す物品連結具１の第一物品側嵌入部３も、第一物品Ａの裏面凹部２内でその軸廻り方向に回転可能な円弧状の回転部１８を備えている。回転部１８の外周面は突部１８ａとそれよりも一段低い凹部１８ｂを備えている。凹部１８ｂは第一物品側嵌入部３を裏面凹部２（図１）内に嵌入したときに、裏面凹部２の内壁面に形成されている円弧状の凸部（図示しない）と嵌合して、第一物品側嵌入部３が裏面凹部２内で位置ずれしないようにするためのものである。この凹部１８ｂは、裏面凹部２内に凸部が形成されていない場合は設ける必要がない。回転部１８は裏面凹部２内で回転可能であれば円弧状ではなく、他の形状、例えば三角形であってもよい。
【００３３】
図６、図７に示す物品連結具１は第一嵌入部３も、物品連結具１の軸方向に離れているが、これは、プラスチック成型上の便宜のため（型抜き可能とするため）であり、本発明の物品連結具１は必ずしもこの形状、サイズ、構造に限定されるものではない。図６、図７において２３は物品連結具１を第二物品Ｄに固定するための止め孔である。
【００３４】
前記した弾性片２０、第一押込片２１、第二押込片２２は、第一嵌入部３、第二嵌入部５と共に樹脂で一体成型してあるが、弾性片２０、第一押込片２１、第二押込片２２は金属製の板ばねにし、その根元側を第一嵌入部３、第二嵌入部５の樹脂成型時にその樹脂内に埋め込んで先端部を突出させることもできる。
【００３５】
［物品取付け構造の実施例１］
本発明の物品取付け構造は、前記した物品連結具１により、図２に示すような開閉式のフレーム（第一物品）Ａ、図１４に示すような照明器具カバー（第一物品）Ａといった各種第一物品を、図１２、図１３に示すような構造物（第二物品）Ｄ、図１５のように天井に取付けられた照明器具枠（第二物品）Ｄといった各種第二物品に取付ける構造である。いずれの第一物品Ａをいずれの第二物品Ｄに取付ける場合でも、図１のように第一物品Ａは裏面に裏面凹部２を備え、第二物品Ｄは前面に前面凹部４を備えていることが必要である。
【００３６】
［第一物品］
第一物品Ａの一例として図１に示すものは図２に示すフレームＡと同じものであり、図３（ａ）に示す四本の枠材ａが方形枠状に連結されている。図２に示すフレームＡは四本の枠材ａの裏面に裏面凹部２が開口されており、その裏面凹部２内の四隅に「く」の字状のコーナー連結具Ｇを挿入して方形に連結されている。図２の裏面凹部２は図３（ａ）に示すように真円のほぼ１／４の円弧状の回転案内部２ｂと、裏面凹部２の前面に被さるように突設している裏面係止縁２ｃ、２ｄを備えている。回転案内部２ｂ、裏面係止縁２ｃ、２ｄはいずれも裏面凹部２の長手方向に沿って形成されている。
【００３７】
［第二物品］
第二物品Ｄの一例として図１に示すものは図１２の構造物であり、細長材ｄの前面（表面）に前面凹部４が形成され、この前面凹部４にその前面に被さる前面係止縁４ｂ、４ｃが突設されている。前面凹部４は図１５（ｂ）に示すように周縁の一部が開口された細長孔であってもよい。細長材ｄもアルミ製、硬質樹脂といった硬質材製である。
【００３８】
本発明の物品連結具１を用いて、図１の第二物品Ｄに第一物品Ａを取付ける場合の一例を図９〜図１１に基づいて説明する。この取付け例は図１のように物品連結具１の第一物品側嵌入部３を第一物品Ａの裏面凹部２内に嵌入してから、物品連結具１の第二物品側嵌入部５を第二物品Ｄの前面凹部４内に圧入して嵌入する場合である。
【００３９】
（裏面凹部への第一嵌入部の嵌入）
図６、図７に示す物品連結具１の第一物品側嵌入部３を第一物品Ａの裏面凹部２（図１）に嵌入するには、図９（ａ）に示すように第一物品側嵌入部３を第一物品Ａの裏面凹部２にセットし、図９（ｂ）に示すように第一物品側嵌入部３を矢印方向に押込む。このとき、第一押込片２１（図７）が裏面凹部２の幅方向内側に弾性変形して（撓んで）裏面凹部２内に嵌入され、図９（ｂ）のように第一物品Ａの一方の裏面係止縁２ｃに第一係止鍔１０が、他方の第一係止縁２ｄに第一押込片２１が夫々係止されて、第一物品側嵌入部３が裏面凹部２から不用意に脱落しない。
【００４０】
（前面凹部への第二嵌入部の嵌入）
図９（ｂ）のように第一物品Ａの裏面凹部２に物品連結具１の第一物品側嵌入部３が嵌入係止されて裏面凹部２から突出している第二物品側嵌入部５を、図１の第二物品Ｄの前面凹部４内に嵌入するには、図８、図１０（ａ）に示すように、第二物品側嵌入部５の第二係止鍔１５を第二物品Ｄの前面凹部４の一方の前面係止縁４ｂの内側に差し込む（セットする）。その状態で第一物品Ａを図８の前面凹部４側に押す（図１０（ａ）の矢印Ｚ方向に押す）。このとき、強制的に押すことにより第二押込片２２が前面凹部４の幅方向内側に撓んで（弾性変形して）、前面凹部４内に嵌入し、前面凹部４の他方の前面係止縁４ｃの内側に係止して前面凹部４から不用意に外れない。
【００４１】
前記裏面凹部２への第一物品側嵌入部３の嵌入、前面凹部４への第二物品側嵌入部５の嵌入は、図１に示すフレーム（第一物品）Ａのいずれかの枠材ａを第二物品Ｄに連結する場合であるが、図１のフレームの他の枠材ａでも前記連結と同様にして行うことにより、図１に示すフレーム（第一物品）Ａを第二物品Ｄに取付けることができる。
【００４２】
（第一物品のスライド：位置調節）
前記物品取付け構造では、前面凹部４に嵌入された第二物品側嵌入部５が前面凹部４に沿ってスライド可能であるため、第二物品Ｄの前面に重ねて取付けた第一物品Ａを第二物品Ｄから取外すことなく位置調節することができる。第一物品Ａに取付けた第一物品側嵌入部３を裏面凹部２に沿ってスライド可能とすれば、第二物品Ｄの前面に重ねて取付けた第一物品Ａを第二物品Ｄから取外すことなく位置調節可能とすることもできる。
【００４３】
（第一物品の取外し）
図１の物品取付け構造は、第一物品Ａが四本の枠材ａを方形に組み立てたフレームであり、夫々の枠材ａが個別に外側に倒す（開く）ことも内側に起こす（戻す）こともできる開閉式のものである。この場合は、図１１（ａ）、（ｂ）に示すように、第一物品Ａの裏面凹部２内に嵌入された物品連結具１の第一物品側嵌入部３が、裏面凹部２の軸廻り方向に回転となるため、次の手順で取外すことができる。
［１］図１０（ｂ）の状態のフレーム（第一物品）Ａの枠材ａ（図１のフレームの枠材）の一部又は全部を、図１１（ａ）のように外側（矢印方向）に倒す。このとき第一物品側嵌入部３の第一押込片２１が裏面凹部２の内側に押されて同方向に撓んで、フレームの裏面係止縁２ｄが図１１（ａ）のように第一押込片２１から外れて外側に倒れる。
［２］図１１（ａ）のように倒れた枠材ａを、図１１（ｂ）の矢印方向に強く引くと、第二物品側嵌入部５の第二押込片２２が下向きに撓んで前面係止縁４ｃから外れる。
［３］他の枠材ａも前記のように操作して、図１のように第二物品Ｄの上下の枠材ｄに取付けられた第一物品Ａを第二物品Ｄから取外すことができる。この場合、物品連結具１は第二物品Ｄの前面凹部４内に残るが、その物品連結具１は第一物品Ａを取外した後に前面凹部４から取外すことができる。
【００４４】
［物品取付け構造の実施例２］
本発明の物品連結具１を使用すれば、図１４、図１５に示すように天井に角形の照明器具（例えば、蛍光灯）を取付けることもできる。この場合は次のようにして取付けることができる。
【００４５】
［１］図１５（ａ）のように、方形枠状の照明器具本体（第二物品）Ｄを天井に固定する。固定には螺子等を使用することができる。照明器具本体ＤにはＬＥＤや蛍光灯等の光源が取付けられ、光源点灯用の電源回路や電源部品等が搭載されている。 
［２］照明器具本体Ｄに開口されている細長孔（前面凹部）４（図１の第二物品Ｄの前面凹部４に相当）に、本発明の物品連結具１の第二物品側嵌入部５を嵌入して第一物品側嵌入部３を前面凹部４から突出させておく。
［３］前記第二物品Ｄに照明器具カバー（第二物品）Ａを図１４のように取付ける。この場合、照明器具カバーＡの周縁部の裏側に形成されている裏面凹部（（図示せず：図１のフレームの裏面凹部２に相当）に、前記物品連結具１の第一物品側嵌入部３を圧入して取付ける。
【００４６】
［物品取付け構造の実施例３］
前記実施例２は、先に照明器具本体（第二物品）Ｄの細長孔（前面凹部）４に本発明の物品連結具１の第二物品側嵌入部５を嵌入する場合であるが、本発明では物品連結具１の第一物品側嵌入部３を先に照明器具カバー（第一物品）Ａの裏面凹部（図示せず）に嵌入しておき、その裏面凹部から突出する第二物品側嵌入部５を器具本体（第二物品）Ｄの前面凹部４に嵌入して照明器具カバーを照明器具本体に取付けることもできる。
【００４７】
［物品取付け構造の実施例４］
第二物品Ｄへ取付ける第一物品Ａは図１６に示すような方形のフレームでもよく、図１７に示すようなフレーム用枠材ａが一本ずつであってもよい。図１７の場合は四本の枠材ａを方形枠状の第二物品Ｄに方形に取付けることにより、図１６のような方形枠状のフレーム（第二物品Ａ）を第二物品Ｄの上に組立てることができる。この場合、四本の枠材ａの長さを選択することにより、第二物品Ｄの上に各種サイズの方形フレームを組み立てることができる。図１６の第二物品Ｄは前面係止縁４ｃだけ（図１７の前面係止縁４ｂがないもの）のものであってもよい。
【００４８】
［物品取付け構造の実施例５］
本発明の物品連結具を使用すれば、例えば、駅構内の壁面に照明看板を取付けることもできる。この場合は、前記照明器具の取付けと同様に、壁面に溝や孔を備えた看板本体（図１５の照明器具本体に相当）を取付け、その看板本体に照明看板のカバー（図１４の照明器具カバーに相当）を取付けることができる。
【産業上の利用可能性】
【００４９】
本発明の物品連結具は、照明器具を室内の壁面に取付ける場合、家屋の外に袖看板を取付ける場合、広告塔の支持体に広告を取付ける場合等にも使用できる。第一物品Ａが裏面凹部を、第二物品Ｄが前面凹部を備えていれば、実施例に記載した物品以外の各種物品の連結に使用可能である。
【符号の説明】
【００５０】
１    物品連結具
２    裏面凹部
２ａ  裏面凹部の軸方向開口部
２ｂ  回転案内部
２ｃ、２ｄ  裏面係止縁
２ｅ  裏側開口部
３    第一物品側嵌入部
４    前面凹部
４ａ  前面凹部の軸方向開口部
４ｂ、４ｃ  前面係止縁
４ｄ  前側開口部
５    第二物品側嵌入部
６    第一基部
９、１０  第一係止鍔
１１    第二基部
１４、１５  第二係止鍔
１８    回転部
１８ａ  （回転部の）突部
１８ｂ  （回転部の）凹部
２０    弾性片
２１    第一押込片
２２    第二押込片
２３    止め孔
Ａ    第一物品（フレーム）
Ｂ    展示物
Ｃ    セット空間
Ｄ    第二物品（支持体）
Ｇ    コーナー連結具
ａ    枠材
ｄ    細長材
【図１】
0005925518.tif 000002
【図２】
0005925518.tif 000003
【図３】
0005925518.tif 000004
【図４】
0005925518.tif 000005
【図５】
0005925518.tif 000006
【図６】
0005925518.tif 000007
【図７】
0005925518.tif 000008
【図８】
0005925518.tif 000009
【図９】
0005925518.tif 000010
【図１０】
0005925518.tif 000011
【図１１】
0005925518.tif 000012
【図１２】
0005925518.tif 000013
【図１３】
0005925518.tif 000014
【図１４】
0005925518.tif 000015
【図１５】
0005925518.tif 000016
【図１６】
0005925518.tif 000017
【図１７】
0005925518.tif 000018